(57)【特許請求の範囲】
【請求項１】
横枠材と、横枠材の長手方向の端面に連結した竪枠材と、横枠材の屋内側に設けた断熱性を有する横被覆材と、竪枠材の屋内側に設けた断熱性を有する竪被覆材とを備え、竪被覆材は竪枠材の内周側面の少なくとも屋内側を被覆し少なくとも横枠材の端面との連結部まで延びる内周側壁を有しており、竪枠材と横枠材を固定するネジが竪枠材から内周側壁を挿通して横枠材にねじ込まれており、竪被覆材が横枠材の端面と竪枠材との間に内周側壁を挟着して固定してあり、横被覆材は横枠材に設けた係止部に係合されかつ竪被覆材によって長手方向の移動が規制されて固定してあることを特徴とする断熱枠。
【請求項２】
横枠材と、横枠材の長手方向の端面に連結した竪枠材と、横枠材の屋内側に設けた断熱性を有する横被覆材と、竪枠材の屋内側に設けた断熱性を有する竪被覆材と、横枠材及び竪枠材の内周側に組み込まれるパネルとを備え、横枠材及び竪枠材は屋外側位置において内周側に突出する屋外側壁を有しており、横被覆材及び竪被覆材は、横枠材又は竪枠材の内周側面の少なくとも屋内側を被覆する内周側壁と、内周側壁から内周側に突出し屋外側壁の屋内側面を被覆する屋外側被覆壁と、内周側壁の屋内側位置から内周側に突出する屋内側壁とで形成されるパネル取り付け溝を有していると共に、竪被覆材は内周側壁を少なくとも横枠材の端面との連結部まで延ばしてあり、竪枠材と横枠材を固定するネジが竪枠材から内周側壁を挿通して横枠材にねじ込まれており、竪被覆材が横枠材の端面と竪枠材との間に内周側壁を挟着して固定してあり、横被覆材は横枠材に設けた係止部に係合されかつ竪被覆材によって長手方向の移動が規制されて固定してあることを特徴とする断熱枠。
【発明の詳細な説明】
【０００１】
【発明の属する技術分野】
本発明は、金属枠材の屋内側に樹脂、木材などの断熱性を有する被覆材を取り付けた断熱サッシの断熱サッシ枠及び断熱障子枠（以下両枠を「断熱枠」という）に関するものである。
【０００２】
【従来の技術】
従来から例えば特開平１０−３１７８３１号や特開平１１−１０７６３１号の断熱枠が知られている。しかしながら、これらは断熱性を有する被覆材を各々金属枠材に対しネジ止めやカシメにより予め固定してから枠組みする構造のため組立作業性が悪く、そしてリサイクルのときに金属枠材と被覆材とを分離する作業が困難であった。また、これらは冬期に屋内と屋外の温度差が著しく大きくなりかつ例えば被覆材が薄肉である場合に、内周側に組み込むパネルを取り付けるパネル取り付け溝の屋外側面を構成する金属枠材の側壁からパネル取り付け溝内に外気熱が伝わり、さらにその熱がパネル取り付け溝の屋内側壁を構成する被覆材の側壁に伝わり被覆材が断熱性能を発揮できないほど過度に冷やされることになり、被覆材の屋内側面に結露を発生させる問題があった。
【０００３】
【発明が解決しようとする課題】
本発明は、これらの問題点を解決し、組立作業性が良好で、リサイクルが容易であり、しかも断熱性を向上した断熱枠を提供することを目的としている。
【０００４】
【課題を解決するための手段】
上記目的を達成するために、本発明の請求項１においては、横枠材と、横枠材の長手方向の端面に連結した竪枠材と、横枠材の屋内側に設けた断熱性を有する横被覆材と、竪枠材の屋内側に設けた断熱性を有する竪被覆材とを備え、竪被覆材は竪枠材の内周側面の少なくとも屋内側を被覆し少なくとも横枠材の端面との連結部まで延びる内周側壁を有しており、竪枠材と横枠材を固定するネジが竪枠材から内周側壁を挿通して横枠材にねじ込まれており、竪被覆材が横枠材の端面と竪枠材との間に内周側壁を挟着して固定してあり、横被覆材は横枠材に設けた係止部に係合されかつ竪被覆材によって長手方向の移動が規制されて固定してあるようにしたことにより、横枠材と横被覆材とを及び竪枠材と竪被覆材とを予め固定することなく枠組みすることができ、そして枠組みを外すことにより横枠材と横被覆材とを及び竪枠材と竪被覆材とを分離することができる断熱枠を提供するものである。
【０００５】
【０００６】
また上記目的を達成するために、本発明の請求項２においては横枠材と、横枠材の長手方向の端面に連結した竪枠材と、横枠材の屋内側に設けた断熱性を有する横被覆材と、竪枠材の屋内側に設けた断熱性を有する竪被覆材と、横枠材及び竪枠材の内周側に組み込まれるパネルとを備え、横枠材及び竪枠材は屋外側位置において内周側に突出する屋外側壁を有しており、横被覆材及び竪被覆材は、横枠材又は竪枠材の内周側面の少なくとも屋内側を被覆する内周側壁と、内周側壁から内周側に突出し屋外側壁の屋内側面を被覆する屋外側被覆壁と、内周側壁の屋内側位置から内周側に突出する屋内側壁とで形成されるパネル取り付け溝を有していると共に、竪被覆材は内周側壁を少なくとも横枠材の端面との連結部まで延ばしてあり、竪枠材と横枠材を固定するネジが竪枠材から内周側壁を挿通して横枠材にねじ込まれており、竪被覆材が横枠材の端面と竪枠材との間に内周側壁を挟着して固定してあり、横被覆材は横枠材に設けた係止部に係合されかつ竪被覆材によって長手方向の移動が規制されて固定してあることにより、横枠材と横被覆材とを及び竪枠材と竪被覆材とを予め固定することなく枠組みすることができ、そして枠組みを外すことにより横枠材と横被覆材とを及び竪枠材と竪被覆材とを分離することができる、また、パネル取り付け溝部に外気熱が伝わらない断熱枠を提供するものである。
【０００７】
【発明の実施の形態】
以下、本発明の断熱枠１を片開き−Ｆｉｘ連窓断熱サッシで実施した場合の実施例を図面に基づいて説明する。 図１は、本発明の実施に係る断熱枠１の断熱サッシ枠１ａおよび断熱サッシ枠１ａに組み込まれた本発明の実施に係る断熱片開き障子枠１ａ並びに断熱サッシ枠１ａに組み込みまれた本発明の実施に係る断熱Ｆｉｘ障子枠１ｃの横断面図を示す。図２は、断熱サッシ枠１ａ及び断熱片開き障子枠１ｂの竪断面図を示し、図３は、断熱サッシ枠１ａ及び断熱Ｆｉｘ障子枠１ｃの竪断面図を示す。尚、本実施例は連窓サッシであるため断熱サッシ枠１ａの横方向の中間に方立材を嵌め込んで用いており、断熱サッシ枠１ａ及び断熱Ｆｉｘ障子枠１ｃにおいて竪枠の一方が方立材となっているが、竪枠材においても方立材においても本発明の思想は同一のものであり、以下本発明の実施例の説明においては重複を省くために方立材も竪枠材として記述する。
【０００８】
断熱サッシ枠１ａは金属製形材を用いた横枠材２ａ及び竪枠材３ａと断熱性を有する樹脂材料で成形された横被覆材４ａ及び竪被覆材５ａとで構成されている。竪枠材３ａは、屋外側位置において外周側に突出する屋外側壁１０ａと、屋外側の内周側にあって竪被覆材５ａの屋外側端部を呑み込み固定するための外れ止め係止部１７ａと、竪枠材３ａの屋内側の外周側にあって竪被覆材５ａの外周側端部を受けるための仮止め係止部１８ａとを有している。横枠材２ａは、屋外側位置において外周側に突出する屋外側壁１０ａと、屋外側の内周側にあって横被覆材４ａの屋外側端部を呑み込み固定するための外れ止め係止部１７ａと、屋内側の内周側にあって横被覆材４ａの外周側端部を受けるための仮止め係止部１８ａと、仮止め係止部１８ａの屋内側端部にあって内周側に折り返しを付け横被覆材４ａの外周側端部を呑み込めるようにした仮止め係止溝１９ａと、タッピングホール１５ａとを有している。竪被覆材５ａは内周側壁１２ａと屋内側壁１３ａと内周側壁１２ａのやや屋内側にあって外周側に突出し竪枠材３ａの仮止め係止部１８ａに当接させるための突条部とを有しており、横被覆材４ａは内周側壁１２ａと屋内側壁１３ａと内周側壁１２ａのやや屋内側にあって外周側に突出し横枠材２ａの仮止め係止部１８ａに当接させるための仮止め係止条２０ａとビスホール１６ａを有している。
【０００９】
これらの部材を枠体として組み立てるための端部や中間部の切り欠き加工及び穴明け加工は各部材毎に個別に施されて組立工程に供給される。横枠材２ａと横被覆材４ａとは枠体の組み立て前に横被覆材４ａの屋外側の先端部を横枠材２ａの外れ止め係止部１７ａに嵌め合わせ、同時に横被覆材４ａの外周側に突出した仮止め係止条２０ａを横枠材２ａの仮止め係止溝１９ａに嵌め合わせることによって略一体に仮止めされる。竪枠材３ａと竪被覆材５ａとは竪被覆材５ａの屋外側の先端部を竪枠材３ａの外れ止め係止部１７ａに嵌め合わせ、同時に竪被覆材５ａの外周側に突出した仮止め係止条２０ａを竪枠材３ａの仮止め係止部１８ａに当接させ、さらに枠体の組み立てのために断熱サッシ枠１ａを固定するための固定ネジ６ａを竪枠材３ａと竪被覆材５ａとに設けられたネジ穴に挿通させることによって略一体に仮止めされる。
【００１０】
断熱サッシ枠１ａは横被覆材４ａが仮止めされた横枠材２ａの長手方向の両端面を竪被覆材５ａが仮止めされた竪枠材３ａの長手方向の端部の内周面で挟み込み当接させて、さらに竪枠材３ａと竪被覆材５ａとを仮止めしている固定ネジ６ａを横枠材２ａに設けられたタッピングホール１５ａに螺入し、締め付けることによって固定されるものであり、竪被覆材５ａは内周側壁１２ａの長手方向の両端部が竪枠材３ａの内周面と横枠材２ａの端面とに挟み込まれた状態で固定されており、同時に横被覆材４ａは屋外側端部を横枠材２ａの仮止め係止部１７ａに嵌め込んだ状態で長手方向の両端部を両側の竪被覆材５ａによって挟み付けられて組み立てることによって固定されており、さらに竪被覆材５ａに設けられたネジ穴を挿通して横被覆材４ａのビスホール１６ａに固定ネジを螺入することによって固定され、はじめて一体の枠体として形成されるようにしたものである。
【００１１】
断熱片開き障子枠１ｂは、金属製形材を用いた横枠材２ｂ及び竪枠材３ｂと、断熱性を有する樹脂材料で成形された横被覆材４ｂ及び竪被覆材５ｂとで構成されている。竪枠材３ｂは、屋外側位置において内周側に突出する屋外側壁１０ｂと、竪被覆材５ｂの屋外側被覆壁１１ｂを呑み込み固定するための外れ止め係止部１７ｂと、竪被覆材５ｂの外周側壁１２ｄの屋外側端部を受けるための仮止め係止部１８ｂとを有している。横枠材２ｂは、屋外側位置において内周側に突出する屋外側壁１０ｂと、横被覆材４ｂの屋外側被覆壁１１ｂを呑み込み固定するための外れ止め係止部１７ｂと、横被覆材４ｂの外周側壁１２ｄの屋外側端部を受けるための仮止め係止部１８ｂと、タッピングホール１５ｂとを有している。竪被覆材５ｂは、内周側壁１２ｂと、屋内側壁１３ｂと、外周側壁１２ｄと、内周側壁１２ｂの屋外側端部において内周側に突出する屋外側被覆壁１１ｂと、内周側壁１２ｂ及び屋外側被覆壁１１ｂ及び屋内側壁１３ｂの内周側部分で形成されるパネル取り付け溝１４ｂとを有しており、横被覆材４ｂは、内周側壁１２ｂと、屋内側壁１３ｂと、外周側壁１２ｄと、内周側壁１２ｂの屋外側端部において内周側に突出する屋外側被覆壁１１ｂと、内周側壁１２ｂ及び屋外側被覆壁１１ｂ及び屋内側壁１３ｂの内周側部分で形成されるパネル取り付け溝１４ｂと、ビスホール１６ｂとを有している。
【００１２】
横枠材２ｂと横被覆材４ｂとは枠体の組み立て前に、横被覆材４ｂの屋外側被覆壁１１ｂを横枠材２ｂの外れ止め係止部１７ｂに係合させ、横被覆材４ｂの外周側壁１２ｄの屋外側端部を横枠材２ｂの仮止め係止部１８ｂに係止させることによって略一体に仮止めされる。竪枠材３ｂと竪被覆材５ｂとは枠体の組み立て前に、竪被覆材５ｂの屋外側被覆壁１１ｂを竪枠材３ｂの外れ止め係止部１７ｂに係合させ、竪被覆材５ｂの外周側壁１２ｄの屋外側端部を竪枠材３ｂの仮止め係止部１８ｂに係止させることによって略一体に仮止めされ、さらに枠体の組み立てに備えて枠体を固定するための固定ネジ６ｂを竪枠材３ｂと竪被覆材５ｂとに設けられたネジ穴に挿通させておくことによって断熱片開き障子枠１ｂの組み立ての用に供される。
【００１３】
断熱片開き障子枠１ｂは横被覆材４ｂが仮止めされた横枠材２ｂの長手方向の両端面を竪被覆材５ｂが仮止めされた竪枠材３ｂの長手方向の端部の内周面で挟み込み当接させ、締め付け固定する前にパネル９ｂを挿入しておいてから、竪枠材３ｂと竪被覆材５ｂとを仮止めしている固定ネジ６ｂを横枠材２ｂに設けられたタッピングホール１５ｂに螺入して締め付けることによって固定されはじめて一体の枠体として形成されるものであり、パネル９bは屋外側ガスケット７ｂおよび屋内側ガスケット８ｂをパネル取り付け溝１４ｂの内周側端部とパネル９ｂとの間に挿入することによって固定される。このとき竪被覆材５ｂの内周側壁１２ｂは長手方向の両端部が竪枠材３ｂの内周面と横枠材２ｂの端面とに挟み込まれた状態で固定されており、同時に横被覆材４ｂは屋外側端部を横枠材２ｂの仮止め係止部１７ｂに嵌め込んだ状態で長手方向の両端部を両側の竪被覆材５ｂによって挟み付けられて組み立てることによって固定されており、さらに竪被覆材５ｂに設けられたネジ穴を挿通して横被覆材４ｂのビスホール１６ｂに固定ネジを螺入することによって一層強固に枠体として固定されるようにしたものである。
【００１４】
断熱Ｆｉｘ障子枠１ｃは金属製形材を用いた横枠材２ａ及び竪枠材３ａと断熱性を有する樹脂材料で成形された横被覆材４ａ及び竪被覆材５ａとパネル９ｃとで構成されている。横枠材２ａ、竪枠材３ａ、横被覆材４ａ及び竪被覆材５ａの各々の構成は断熱サッシ枠１ａにおいて説明した構成とまったく同一なので省略する。パネル取り付け溝１４ｃは、横被覆材４ａ及び竪被覆材５ａの構成部分である内周側壁１２ａと、横被覆材４ａ及び竪被覆材５ａの構成部分である屋内側壁１３ａと、竪枠材３ａの屋外側に取り付けられた押縁材（屋外側壁１０ｃ）の屋内側に予め接着された断熱性を有する被覆材の屋外側被覆壁１１ｃと、横枠材２ａの屋外側に取り付けられた押縁材（屋外側壁１０ｃ）の屋内側及び内周側に予め接着された断熱性を有する被覆材の屋外側被覆壁１１ｃ及び内周側被覆壁１２ｃとで構成されるものである。
【００１５】
断熱Ｆｉｘ障子枠１ｃは横枠材２ａ、横被覆材４ａ、竪枠材３ａ及び竪被覆材５ａによる枠組み手順及び構成が断熱サッシ枠１ａとまったく同一であるが、それに加えて屋内側ガスケット８ｃは屋内側壁１３ｃの内周側端部に屋外側に向けて設けられた溝部に挿入され、パネル９cは屋内側面が屋内側ガスケット８ｃに当接するように組み込まれている。そして、屋外側ガスケット７ｃは押し縁材（屋外側壁１０ｃ）の内周側端部に嵌め込まれてパネル９ｃを固定している。
【００１６】
以上、図１〜図３に基づいて説明したように本発明の断熱枠１（１ａ、１ｂ、１ｃ）は横枠材（２ａ、２ｂ、２ａ）と、横枠材（２ａ、２ｂ、２ａ）の長手方向の端面に連結した竪枠材（３ａ、３ｂ、３ａ）と、横枠材（２ａ、２ｂ、２ａ）の屋内側に設けた断熱性を有する横被覆材（４ａ、４ｂ、４ａ）と、竪枠材（３ａ、３ｂ、３ａ）の屋内側に設けた断熱性を有する竪被覆材（５ａ、５ｂ、５ａ）とを備え、竪被覆材（５ａ、５ｂ、５ａ）は竪枠材（３ａ、３ｂ、３ａ）の内周側面の少なくとも屋内側を被覆し少なくとも横枠材（２ａ、２ｂ、２ａ）の端面との連結部まで延びる内周側壁（１２ａ、１２ｂ、１２ａ）を有している。そして、竪枠材（３ａ、３ｂ、３ａ）を挿通し横枠材（２ａ、２ｂ、２ａ）のタッピングホール（１５ａ、１５ｂ、１５ａ）に螺入されて竪枠材（３ａ、３ｂ、３ａ）と横枠材（２ａ、２ｂ、２ａ）とを固定する固定ネジ（６ａ、６ｂ、６ａ）が竪被覆材（５ａ、５ｂ、５ａ）を挿通し、竪被覆材（５ａ、５ｂ、５ａ）が横枠材（２ａ、２ｂ、２ａ）の端面と竪枠材（３ａ、３ｂ、３ａ）との間に内周側壁（１２ａ、１２ｂ、１２ａ）を挟着して固定してある。そして、横被覆材（４ａ、４ｂ、４ａ）は横枠材（２ａ、２ｂ、２ａ）に設けた外れ止め係止部（１７ａ、１７ｂ、１７ａ）および仮止め係止溝（１９ａ、１９ｂ、１９ａ）に係合され、かつ竪被覆材（５ａ、５ｂ、５ａ）によって長手方向の移動が規制されている。このような簡単な構造とすることによって、横枠材（２ａ、２ｂ、２ａ）と横被覆材（４ａ、４ｂ、４ａ）とを、そして、竪枠材（３ａ、３ｂ、３ａ）と竪被覆材（５ａ、５ｂ、５ａ）とを、各々例えばカシメなどの機械的な嵌合やネジ止めなどの固定手段を用いて予め組み合わせ一体化させておくといった前作業を不要としたものであり、組み立て作業性に優れ、また逆にリフォームなどで解体する場合にも容易に分別処理できるのでリサイクル性にも優れているものである。
【００１７】
さらに、本発明の断熱枠１（１ｂ、１ｃ）においては、横枠材（２ｂ、２ａ）及び竪枠材（３ｂ、３ａ）の屋外側壁（１０ｂ、１０ｃ）の屋内側に設けた断熱性を有する横被覆材（４ｂ、４ａ）及び竪被覆材（５ｂ、５ａ）に、屋外側壁（１０ｂ、１０ｃ）の屋内側面を被覆する屋外側被覆壁（１１ｂ、１１ｃ）と横枠材（２ｂ、２ａ）及び竪枠材（３ｂ、３ａ）の内周側面の少なくとも屋内側を被覆する内周側壁（１２ｂ、１２ａおよび１２ｃ）と屋内側壁（１３ｂ、１３ａ）とを設けて、パネル取り付け溝（１４ｂ、１４ｃ）を構成してあるので、屋内と屋外の温度差が著しく大きくなった場合にも横枠材（２ｂ、２ａ）及び竪枠材（３ｂ、３ａ）の屋外側壁（１０ｂ、１０ｃ）から直接パネル取り付け溝（１４ｂ、１４ｃ）内に外気熱が伝えられることが無くなり、横被覆材（４ｂ、４ａ）及び竪被覆材（５ｂ、５ａ）の屋内側面に結露を発生させたりしていた従来の方法での問題点を解決することができ、断熱性被覆材を薄肉にすることも可能とするものである。
【００１８】
尚、本発明は上述した実施例の形態に限らず、発明の趣旨を逸脱しない範囲内で種々の変更が可能である。例えば断熱枠１は引き違い障子枠、両開き障子枠であってもよく、枠種は限定されない。横枠材（２ａ、２ｂ）、竪枠材（３ａ、３ｂ）の材質は金属であればスチールでもよく、限定されない。横被覆材（４ａ、４ｂ）、竪被覆材（５ａ、５ｂ）の材質は断熱性を有するものであれば樹脂の他に木材などでもよく、限定されない。屋外側ガスケット（７ｂ、７ｃ）及び屋内側ガスケット（８ｂ、８ｃ）は全体を軟質樹脂材料単体で成形したものに限られるものでなく、硬質樹脂材料と軟質樹脂材料を同時一体押出成形したものであってもよい。また、屋外側ガスケット（７ｂ、７ｃ）及び屋内側ガスケット（８ｂ、８ｃ）は一体成形されたグレイジングチャンネルであってもよい。横被覆材（４ａ、４ｂ）及び竪被覆材（５ａ、５ｂ）は横枠材（２ａ、２ｂ）及び竪枠材（３ａ、３ｂ）の内周側面の少なくとも屋内側や屋内側面を被覆するだけでなく、内周側面の屋内側方向における全面又は屋外側面又は外周側面を被覆するものであってもよい。
【００１９】
【発明の効果】
以上述べてきたように、請求項１に記載の発明によれば、横枠材及び竪枠材に対して横被覆材及び竪被覆材をネジ止めやカシメなどの手段により予め固定しておく工程を不要としているので断熱サッシ枠の組立作業性に優れておりかつ枠組みを外すことにより枠材と被覆材とを分離できるのでリサイクルも容易である。請求項２に記載の発明によれば横および竪枠材と横および竪被覆材とをネジ止めやカシメなどの手段により予め固定しておく工程を不要としており、かつ横および竪枠材の屋内側面を被覆する断熱性を有する被覆材でパネル取り付け溝を構成し、横および竪枠材からパネル取り付け溝内への外気熱の出入りを無くしているので、組み立て作業性に優れ、リサイクルが容易で、かつ断熱性能が一層向上し断熱性被覆材が薄肉であってもパネル取り付け部の屋内側に結露が発生しない。
【図面の簡単な説明】
【図１】本発明の実施に関わる片開き−Ｆｉｘ連窓断熱サッシを屋内側から見た横断面図である。
【図２】図１の片開き窓部分の竪断面図である。
【図３】図１のＦｉｘ窓部分の竪断面図である。
【符号の説明】
１     断熱枠
１ａ   断熱サッシ枠
１ｂ   断熱片開き障子枠
１ｃ   断熱Ｆｉｘ障子枠
２ａ   断熱サッシ枠、断熱Ｆｉｘ障子枠の横枠材
２ｂ   断熱片開き障子枠の横枠材
３ａ   断熱サッシ枠、断熱Ｆｉｘ障子枠の竪枠材
３ｂ   断熱片開き障子枠の竪枠材
４ａ   断熱サッシ枠、断熱Ｆｉｘ障子枠の横被覆材
４ｂ   断熱片開き障子枠の横被覆材
５ａ   断熱サッシ枠、断熱Ｆｉｘ障子枠の竪被覆材
５ｂ   断熱片開き障子枠の竪被覆材
６ａ   断熱サッシ枠、断熱Ｆｉｘ障子枠の固定ネジ
６ｂ   断熱片開き障子枠の固定ネジ
７ｂ   断熱片開き障子の屋外側ガスケット
７ｃ   断熱Ｆｉｘ障子の屋外側ガスケット
８ｂ   断熱片開き障子の屋内側ガスケット
８ｃ   断熱Ｆｉｘ障子の屋内側ガスケット
９ｂ   断熱片開き障子のパネル
９ｃ   断熱Ｆｉｘ障子のパネル
１０ａ 断熱サッシ枠の竪及び横枠材の屋外側壁
１０ｂ 断熱片開き障子枠の竪及び横枠材の屋外側壁
１０ｃ 断熱Ｆｉｘ障子枠の屋外側壁（押縁材）
１１ｂ 断熱片開き障子枠の屋外側被覆壁
１１ｃ 断熱Ｆｉｘ障子枠の押縁材の被覆材が形成する屋外側被覆壁
１２ａ 断熱サッシ枠の竪及び横被覆材の内周側壁
１２ｂ 断熱片開き障子枠の竪及び横被覆材の内周側壁
１２ｃ 断熱Ｆｉｘ障子枠の押縁材の被覆材が形成する内周側壁
１２ｄ 断熱片開き障子枠の竪及び横被覆材の外周側壁
１３ａ 断熱サッシ枠の竪及び横被覆材の屋内側壁
１３ｂ 断熱片開き障子枠の竪及び横被覆材の屋内側壁
１３ｃ 断熱Ｆｉｘ障子枠の竪及び横被覆材の屋内側壁
１４ｂ 断熱片開き障子のパネル取り付け溝
１４ｃ 断熱Ｆｉｘ障子のパネル取り付け溝
１５ａ 断熱サッシ枠、断熱Ｆｉｘ障子枠の横枠材のタッピングホール
１５ｂ 断熱片開き障子枠の横枠材のタッピングホール
１６ａ 断熱サッシ枠、断熱Ｆｉｘ障子枠の横被覆材のビスホール
１６ｂ 断熱片開き障子枠の横被覆材のビスホール
１７ａ 断熱サッシ枠、断熱Ｆｉｘ障子枠の竪及び横枠材の外れ止め係止部
１７ｂ 断熱片開き障子枠の竪及び横枠材の外れ止め係止部
１８ａ 断熱サッシ枠、断熱Ｆｉｘ障子枠の竪枠材の仮止め係止部
１８ｂ 断熱片開き障子枠の竪枠材の仮止め係止部
１９ａ 断熱サッシ枠、断熱Ｆｉｘ障子枠の横枠材の仮止め係止溝
１９ｂ 断熱片開き障子枠の横枠材の仮止め係止溝
２０ａ 断熱サッシ枠、断熱Ｆｉｘ障子枠の横被覆材の仮止め係止条
【図１】
0003726948.tif 000002
【図２】
0003726948.tif 000003
【図３】
0003726948.tif 000004